(57)【要約】【課題】より安価で、より広い範囲の部材に使用でき、より簡単に着脱できる建枠足場の布板ずれ止め金具の提供。【解決手段】  全体が弾性金属線状材によって形成され、直線状の水平部１の両端を下向きに折り曲げた形状の一対の脚部２を一体に有し、両脚部２の下端側が互いに近づく側に傾斜され、水平部１を前記２枚の布板の互いに隣接しているフック金具の上面に跨らせた状態で、両脚部２によって両フック金具の外側を弾性的に挟ませる。【選択図】図１
0003151072.tif 000002
【実用新案登録請求の範囲】
【請求項１】
四隅部に突設したフック金具を有する矩形状をした２枚の布板を、建枠の上縁の水平材に前記フック金具を係合させて互いに平行配置に支持させることによって構成される建枠足場の、前記両布板のずれを防止する建枠足場の布板ずれ止め金具であって、
全体が弾性金属線状材によって形成され、直線状の水平部と、その両端を下向きに折り曲げた形状の一対の脚部とを一体に有し、該両脚部は、その下端側が互いに近づく側に傾斜され、
前記水平部を前記２枚の布板の互いに隣接しているフック金具の上面に跨らせた状態で、前記両脚部によって該両フック金具の外側を弾性的に挟むように構成してなる建枠足場の布板ずれ止め金具。
【請求項２】
前記両脚部の下端部の対向面側に、該脚部を構成している線状材の先端を上向き内側に折り返して形成されたリング状の係止凸部を一体に備え、前記脚部を、前記水平部がフック金具の上面に当接した状態で、前記係止凸部の横向き突出頂部がフック金具の下縁下に至る長さとしてなる請求項１に記載の建枠足場の布板ずれ止め金具。
【考案の詳細な説明】
【技術分野】
【０００１】
本考案は、所定間隔を隔てて立設した建枠上縁の水平材間に、布板を平行に並べて掛け渡した建枠足場において、幅方向に隣り合う布板が互いに離れる方向の移動を防止する建枠足場の布板ずれ止め金具に関する。
【背景技術】
【０００２】
一般に、門形の建枠を向き合わせて平行に立て、その建枠の上縁の水平材の水平材間に、一対の布板を平行に並べて掛け渡した建枠足場が普及している。この建枠足場に使用している布板は全体が矩形状をなし、その四隅部に長さ方向に向けてフック金具が突設されている。このフック金具は下側に建枠の水平材が嵌り合う凹部が形成されており、布板の掛け渡しは、フック金具の凹部内に建枠の水平材を嵌め合わせることによってなされている。
【０００３】
このように建枠に掛け渡した幅方向に隣り合う布板間が互いに離反する側にずれると、その隙間から資機材を落下させたり、作業者が隙間に足をとられたりするなど、重大な事故につながる危険性がある。
【０００４】
このため従来は、幅方向に隣り合う布板が離れるのを防止するために、隣り合う布板フック金具を、番線にて結束する方法が古くから採用されている。
【０００５】
しかし、番線による固定作業は、手作業で行わなければならず、手間が掛かってコスト高となるとともに工期が長くなる。また、一度使用した番線は廃棄処分されなければならず、環境にも負担をかけるものであった。更に、結束代が布板の上部、下部に飛び出し易く、それに衣服等を引っかけたり、作業者の身体を傷つけたりする可能性もあった。
【０００６】
このような問題を解決するものとして、建枠の水平材に係合させたフック金具部分の上側を覆うプレートの下面に、隣り合うフック金具間の広がりを防止するための脚部を突設した布板ずれ防止具が開発されている（例えば特許文献１）。
【特許文献１】特許第４０６８６３２号公報
【考案の開示】
【考案が解決しようとする課題】
【０００７】
上述した従来の布板ずれ防止金具は、一本の水平材に掛かる４枚の布板、即ち、1本の水平材の両側にそれぞれ幅方向に２枚ずつ並べた計４枚の布板を同時に固定するもので、一対の建枠間に布板を２枚だけ掛け渡した建枠足場には使用できないという問題があった。
【０００８】
また、プレートはフック金具の上を覆うものであるため、その分だけ足場上面が高くなり、歩行の際につまずき易く安全性に問題があるとともに、形状が大きく着脱作業に際する持ち運びに不便があり、更に、外れ止め機構も複雑であることと相俟って、製造コストが高くならざるを得ない等の問題があった。
【０００９】
本考案は、このような従来の問題に鑑み、より安価で、より広い範囲の部材に使用でき、より簡単に着脱できる建枠足場の布板ずれ止め金具の提供を目的としてなされたものである。
【課題を解決するための手段】
【００１０】
上述の如き従来の問題を解決し、所期の目的を達成するための請求項１に記載の考案の特徴は、四隅部に突設したフック金具を有する矩形状をした２枚の布板を、建枠の上縁の水平材に前記フック金具を係合させて互いに平行配置に支持させることによって構成される建枠足場の、前記両布板のずれを防止する建枠足場の布板ずれ止め金具であって、全体が弾性金属線状材によって形成され、直線状の水平部と、その両端を下向きに折り曲げた形状の一対の脚部とを一体に有し、該両脚部は、その下端側が互いに近づく側に傾斜され、前記水平部を前記２枚の布板の互いに隣接しているフック金具の上面に跨らせた状態で、前記両脚部によって該両フック金具の外側を弾性的に挟むように構成してなる建枠足場の布板ずれ止め金具にある。
【００１１】
請求項２に記載の考案の特徴は、請求項１の構成に加え、前記両脚部の下端部の対向面側に、該脚部を構成している線状材の先端を上向き内側に折り返して形成されたリング状の係止凸部を一体に備え、前記脚部を、前記水平部がフック金具の上面に当接した状態で、前記係止凸部の横向き突出頂部がフック金具の下縁下に至る長さとしたことにある。
【考案の効果】
【００１２】
本考案においては、布板ずれ止め金具全体を弾性金属線状材によって形成し、直線状の水平部と、その両端を下向きに折り曲げた形状の一対の脚部とを一体に有し、該両脚部は、その下端側が互いに近づく側に傾斜させ、前記水平部を前記２枚の布板の互いに隣接しているフック金具の上面に跨らせた状態で、前記両脚部によって該両フック金具の外側を弾性的に挟むように構成したことにより、形状が極めてシンプルで、製作が容易であり、着脱時の持ち運びに便利であり、しかも、装着は両脚部によって布板のフック金具を挟みこませるのみでなされ、上側からの引き抜きによって容易に取り外しが可能であり、更に装着状態では、両脚部によってフック金具外側を挟み込んでいるため容易には脱落せず、かつ線状材の太さ分がフック金具上面に突出するのみであるため、歩行に危険を伴うこともない。
【００１３】
本考案においては、両脚部の下端部の対向面側に、該脚部を構成している線状材の先端を上向き内側に折り返して形成されたリング状の係止凸部を一体に備え、前記脚部を、前記水平部がフック金具の上面に当接した状態で、前記係止凸部の横向き突出頂部がフック金具の下縁下に至る長さとすることにより、係止凸部によって上側外れ方向の外力が作用した際の抵抗力が大きく、装着状態時における外れ止め効果を大きくでき、また、両脚部を構成している線状材の先端が、両脚部の内側に丸めた状態となって外側に突出していないため、作業者に対する安全性が高い。更に、装着操作時には、両脚部の先端部内側が円形曲線となるため、フック金具を挟み込ませる操作が容易となる。
【考案を実施するための最良の形態】
【００１４】
次に本考案を実施するための最良の形態を、図面に基づいて説明する。
【００１５】
図１は、本考案に係る布板ずれ止め金具の一例を示している。この布板ずれ止め金具Ａは、全体が鋼製の弾性線状材を切断し折り曲げて形成しており、直線状の水平部１と、その両端を下向きに折り曲げた形状の一対の脚部２，２とから構成され、全体が下向きコ字状に成形されている。
【００１６】
両脚部２，２は先端側が、互いに接近する方向に傾斜されており、その下端部には、線状材の先端を両脚部対抗面側、即ち内側に略円形のリング状に折り曲げた形状の係止凸部３，３が一体に形成されている。係止凸部３を構成している線状材の先端は、脚部２に沿わせた直線状部４となっている。
【００１７】
この布板ずれ止め金具Ａは、図２、図３に示すように、幅方向に隣り合わせた布板１０，１０のフック金具１１，１１を建枠の水平材１２に係合させることによって組み立てた建枠足場に対し、両布板１０，１０の互いに隣り合う位置のフック金具１１，１１の根元部分に装着するものであり、図３示すように、水平部１から折り曲げられた両脚部２，２の根元間の間隔Ｌ１を、前述した接近配置にある両フック金具１１，１１の全幅Ｌ２より稍長く形成している。
【００１８】
また、両脚部２，２は、その長さを、各係合凸部３の全体がフック金具１１の下縁より下に位置する長さに形成している。尚、この他、係合凸部３の横向き突出頂部３ａがフック金具１１の下縁より下になる長さであれば良い。
【００１９】
このように構成される布板ずれ止め金具Ａの装着は、両脚部２，２の先端をフック金具１１，１１の全幅より広く広げて両フック金具１１，１１外側面にあてがって押し下げることにより、水平部１をフック金具１１，１１上に跨らせた状態で、係合凸部３，３をフック金具１１の下縁下にいたらせる。これによって図３に示すように、脚部２，２の弾性によって係合凸部３，３がフック金具１１，１１の下側で互いに接近する方向に移動し、はずれ止めされた状態で両フック金具１１，１１の離反方向のずれが防止される。
【００２０】
この布板ずれ止め金具は、係合凸部が略円形のリング状であるため、バールなどの工具を使用して水平部１を引き上げることにより、容易に取り外すことができる。
【００２１】
尚、上述の例では、建枠の１本の水平材１０に対し、その両側からそれぞれ２枚ずつの布板１０の一端を支持させ、１箇所に４個のフック金具１１が水平材長さ方向に重ねあわされた場合を示しており、この場合の脚部根元間の間隔Ｌ１は、幅方向に隣り合う布板１０，１０の接近側にある２つのフック金具１１，１１の間に、建枠水平材の反対側にある布板１０のフック金具１１が介在された状態における全幅Ｌ２より稍大きく形成している。
【００２２】
この他、前記脚部根元間の間隔Ｌ１は、幅方向に隣り合う布板１０，１０の接近側フック金具１１，１１間に、水平材１２の反対側の布板のフック金具を挟み込まないで架設された建枠足場においては、互いに接近配置にあってずれ止めしようとする２枚のフック金具１１，１１の全幅に対応させた長さとする。
【図面の簡単な説明】
【００２３】
【図１】本考案に係る布板ずれ止め金具の一例を示す正面図である。
【図２】図１に示す布板ずれ止め金具の使用状態を示す平面図である。
【図３】同上の縦断面図である。
【符号の説明】
【００２４】
Ａ  布板ずれ止め金具
１  水平部
２  脚部
３  係止凸部
３ａ  横向き突出頂部
４  直線状部
１０  布板
１１  フック金具
１２  建枠の水平材
Ｌ１  両脚部の根元間の間隔
Ｌ２  両フック金具の全幅
【図１】
0003151072.tif 000003
【図２】
0003151072.tif 000004
【図３】
0003151072.tif 000005